(57)【要約】【課題】カップに対して安定した姿勢で固定されるスパウトを提供する。【解決手段】液体を収容し開口をフィルムＦで封止されたカップＣに装着されるスパウトＳにおいて、フィルムを破って孔を開ける穿孔部と、フィルムの上方に配置され、フィルムに形成された孔を介してカップ内の液体を導出する注出部１３と、該スパウトＳがカップに固定された装着位置で、フィルムの上に配置されるフランジ部１１と、フランジ部１１をフィルムＦに接着する接着シールとを備えた。【選択図】図１
2013060215.tif 000002
【特許請求の範囲】
【請求項１】
液体を収容し開口をフィルムで封止されたカップに装着されるスパウトにおいて、
前記フィルムを破って孔を開ける穿孔部と、
前記フィルムの上方に配置され、前記フィルムに形成された孔を介して前記カップ内の液体を導出する注出部と、
該スパウトがカップに固定された装着位置で、前記フィルムの上に配置されるフランジ部とを備え、
前記フランジ部は、接着部によって前記フィルムに固定されることを特徴とするスパウト。
【請求項２】
前記カップの縁部に当接して、該スパウトの回転動作の支点となるガイド部をさらに備えた請求項１に記載のスパウト。
【請求項３】
前記ガイド部には、前記カップの縁部に当接する突部が形成されている請求項２に記載のスパウト。
【請求項４】
前記穿孔部は、
該スパウトが前記カップに対して傾いた穿孔開始位置にて前記フィルムを切開可能な突端を有する刃と、
前記刃によって形成された孔を拡開する拡開部とを備えた請求項１〜３のいずれか１項に記載のスパウト。
【請求項５】
前記フランジ部は、前記フィルムの一部を覆う請求項１〜４のいずれか１項に記載のスパウト。
【発明の詳細な説明】
【技術分野】
【０００１】
この発明は、液体を収容したカップ内の開口を封止したフィルムを穿孔するとともにカップに固定されて飲み口として使用されるスパウトに関する。
【背景技術】
【０００２】
従来より、飲料を収容したカップの開口に、フィルムを固着して、飲料を気密状態に封止した製品が製造及び販売されている。この種のカップは、収容した飲料が冷却された状態で販売されており、カップ内の飲料を飲む際には、フィルムにストローを突き刺し、ストローを介して飲料を吸引する。
【０００３】
一方、カップに入れられた温かい飲料を飲む場合には、ストローを介した吸引量を制御しにくい等の理由から、ストローの使用は適さない。このため、温かい飲料を上記構成のカップに封入した場合にも好適に使用できるスパウト構造が要請されていた。
【０００４】
例えば特許文献１には、フィルム（密封シート）を押し切るスパウト構造を備えたオーバーキャップ付き容器が記載されている。このオーバーキャップは、フィルムの外側を覆うようにカップに装着されるものであって、容器本体の口部を全面にわたって覆い隠す天面壁を備える。また、この天面壁には、注出筒体が、ヒンジを介して揺動可能に保持されている。注出筒体は、ヒンジを起点とする引き起こしによって、天面壁に形成された貫通開口からその下方に挿入され、天面壁の下方に配置されたフィルムを押し切る。引き起こされた注出筒体は、注出筒体の外側面に形成された係合突起と、天面壁の貫通開口の縁部とを当接させて、その引き起こされた姿勢を保つようにする。
【先行技術文献】
【特許文献】
【０００５】
【特許文献１】特開２００９−１７９３４８号公報
【発明の概要】
【発明が解決しようとする課題】
【０００６】
しかし、上述したスパウト構造では、注出筒体は、オーバーキャップに対し、係合突起と縁部の基端とを当接させるのみで、引き起こされた姿勢を保つようにしているため、例えば注出筒体に対しカップ内側へ押圧するような力が加わった場合には、係合突起と凹部との係合が解除されてしまう可能性がある。係合突起と凹部との係合が解除されると、ヒンジを起点として、注出筒体が、カップ内側へ向かって傾動するため、カップから飲料を飲みにくくなる虞がある。従って、カップに対して安定した姿勢で固定されるスパウトが要請されていた。
【０００７】
本発明は、上記問題点に鑑みてなされたものであり、その目的は、カップに対して安定した姿勢で固定されるスパウトを提供することにある。
【課題を解決するための手段】
【０００８】
上記問題点を解決するために、請求項１に記載の発明は、液体を収容し開口をフィルムで封止されたカップに装着されるスパウトにおいて、前記フィルムを破って孔を開ける穿孔部と、前記フィルムの上方に配置され、前記フィルムに形成された孔を介して前記カップ内の液体を導出する注出部と、該スパウトがカップに固定された装着位置で、前記フィルムの上に配置されるフランジ部とを備え、前記フランジ部は、接着部によって前記フィルムに固定されることを要旨とする。
【０００９】
請求項１に記載の発明によれば、穿孔部によってフィルムに孔を開けるとともに、穿孔部と支持部とによりスパウトをカップに固定するため、カップを傾けることにより、フィルムに開けられた孔を介して導出された液体を、注出部から飲むことができる。また、フランジ部は、接着部によってフィルムに対して固定されるので、スパウトに対し押圧するような力が加えられても、スパウトがずれにくく、安定した姿勢を保持することができる。また接着部によりスパウトとフィルムとのシール性を確保できるので、フィルムの孔から液体が漏出することを防ぐことができる。
【００１０】
請求項２に記載の発明は、請求項１に記載のスパウトにおいて、前記カップの縁部に当接して、該スパウトの回転動作の支点となるガイド部をさらに備えたことを要旨とする。
請求項２に記載の発明によれば、スパウトを、カップの縁部に当接したガイド部によって支持しながら回転させることができるので、スパウトを安定した姿勢に保持しながらカップに装着することができる。また、ガイド部をカップに当接させながら回転させることによって、穿孔部に、フィルムに孔を形成するための押圧力を印加しやすくなる。また、ガイド部とカップとの当接によって、穿孔開始位置とカップの縁部との距離が一定となるため、液体を啜りやすい最適な位置に孔を形成することができる。
【００１１】
請求項３に記載の発明によれば、ガイド部の突部がカップの縁部に当接するため、カップの縁部が湾曲していても、突部とカップの縁部とを確実に当接させ、スパウトに印加される押圧力を突部に集中させることができる。従って、この突部とカップとの当接によって、スパウトの姿勢を安定させることができる。
【００１２】
請求項３に記載の発明は、請求項２に記載のスパウトにおいて、前記ガイド部には、前記カップの縁部に当接する突部が形成されていることを要旨とする。
請求項４に記載の発明は、請求項１〜３のいずれか１項に記載のスパウトにおいて、前記穿孔部は、該スパウトが前記カップに対して傾いた穿孔開始位置にて前記フィルムを切開可能な突端を有する刃と、前記刃によって形成された孔を拡開する拡開部とを備えたことを要旨とする。
【００１３】
請求項４に記載の発明によれば、穿孔部は、カップに対して傾いた穿孔開始位置で突端をフィルムに突き刺し、その孔を拡開部によって広げるため、開口面積が大きい孔をフィルムに形成することができる。
【００１４】
請求項５に記載の発明は、請求項１〜４のいずれか１項に記載のスパウトにおいて、前記フランジ部は、前記フィルムの一部を覆うことを要旨とする。
請求項５に記載の発明によれば、フランジ部は、フィルムの一部を覆うので、スパウトを小型化し、コストを低下させることができる。
【図面の簡単な説明】
【００１５】
【図１】本発明を具体化した一実施形態のスパウトであって、カップに固定された状態を示す斜視図。
【図２】同スパウトを正面側からみた斜視図。
【図３】同スパウトの平面図。
【図４】同スパウトを背面側からみた斜視図。
【図５】同スパウトの側面図。
【図６】同スパウトの下面図。
【図７】同スパウトをカップに装着する際の装着開始状態を示す側面図。
【図８】同スパウトをカップに装着する際の装着中の状態を示す側面図。
【図９】同スパウトがカップに装着された状態を示す側面図。
【図１０】スパウトが装着されたカップを傾けた状態を示す図３中Ａ−Ａ線における断面図。
【発明を実施するための形態】
【００１６】
以下、本発明のスパウトを具体化した一実施形態を図１〜図７にしたがって説明する。
図１に示すように、本実施形態のスパウトＳは、飲料を収容したカップＣに対して装着され、カップＣを傾けて飲料を啜るために使用されるものである。カップＣは、飲料を収容したカップ本体Ｂと、カップ本体Ｂの上部開口を、ポリエチレンテレフタレート（ＰＥＴ）等の切り裂き可能なフィルムＦで封止した構成である。カップ本体Ｂは、その開口部に、外側に向かって突き出したカップ鍔部Ｃ１を有している。カップ鍔部Ｃ１の上面は、数ｍｍの幅を有し、フィルムＦの周縁は、このカップ鍔部Ｃ１の上面に対し熱溶着又は接着剤により固着されることで、カップＣに張設されている。このスパウトＳは、飲料を飲む前に、回転しながらフィルムＦの一部に固定され、使用後はカップＣから取り外すことができる。尚、スパウトＳがカップＣに装着された際に、カップＣの径方向内側を向く面を正面、径方向外側の面を背面とし、フィルムＦの上面側となる面を平面、カップ底面側を向く面を下面とする。
【００１７】
スパウトＳは、スパウト本体１０とスパウト本体１０に貼着された接着シールとから構成される。スパウト本体１０は、ポリプロピレン（ＰＰ）、ポリエチレンテレフタレート（ＰＥＴ）、ポリエチレン（ＰＥ）等の樹脂からなり、射出成形等により成形されている。
【００１８】
図２に示すように、スパウト本体１０は、スパウトＳがカップＣに固定された装着位置で、フィルムＦの上方に配置されるフランジ部１１を備えている。フランジ部１１は、略円盤状に形成されるとともに、平面からみた形状は真円をなしている。
【００１９】
このフランジ部１１の略中央には導出孔１２が貫通形成され、導出孔１２の周囲には注出部１３が形成されている。注出部１３は、導出孔１２を囲む略筒状に形成され、その先端は、背面から正面にかけて滑らかに傾斜している。注出部１３のうち、最も上方に突出した背面側の壁部は、飲料を飲む際に口が付けられる接触部１３ａを構成する。
【００２０】
また、図３に示すように、注出部１３の内側であって、接触部１３ａに対して反対側となる位置には、張出部１８が、導出孔１２の径方向内側に張り出すように形成されている。張出部１８の高さ方向における位置は、フランジ部１１とほぼ同じ位置になっている。また、この張出部１８の略中央には、空気孔１９が形成されている。
【００２１】
また、図４に示すように、フランジ部１１の背面側には、ガイド部１５が形成されている。ガイド部１５は、フランジ部１１に対して、垂直且つ下方に延び、その先端部は円弧状をなしている。また、ガイド部１５の長さは、カップ鍔部Ｃ１の厚さよりも大きい長さとなっている。図５に示すように、ガイド部１５の内側面には、直線状のリブ１５ａがガイド部１５の延出方向と平行に形成されている。
【００２２】
また、フランジ部１１の下面には、穿孔部１４が備えられている。穿孔部１４は、板状の穿孔刃１６を有している。穿孔刃１６は、側面視において、長方形の一部を切り欠いた形状をなし、その短手方向の長さが、スパウトの背面から正面へ向かう方向と平行となるように形成されている。また、穿孔刃１６は、背面側に配置され、スパウト本体１０の高さ方向（Ｚ方向）と平行な背面側端部１６ａと、背面側端部１６ａに対して垂直な底面側端部１６ｂと、底面側端部１６ｂに対して傾斜した正面側端部１６ｃとを備える。背面側端部１６ａと底面側端部１６ｂとの間には、直角部１６ｄが形成され、底面側端部１６ｂと正面側端部１６ｃとの間には、鈍角部１６ｅが形成される。
【００２３】
この穿孔刃１６の基端部は、穿孔部１４を構成する筒状部１７によって囲まれている。筒状部１７は、その下方に開口を有し、フランジ部１１からの高さは、正面側が高く、背面側に向かうにつれて低くなる。また、筒状部１７とガイド部１５との間隙は、カップ鍔部Ｃ１の幅以上の長さを有しているため、スパウト本体１０が、筒状部１７とガイド部１５との間にカップ鍔部Ｃ１を差し込みながら回転することができる。
【００２４】
また、図６に示すように、フランジ部１１の下面には、凹部が形成され、この凹部には筒状部１７を囲むように接着シール２０が固定されている。接着シール２０は、両面に粘着層を有するシリコンシート等から構成され、この粘着層は、食品用として適した安全性を有している。この接着シール２０は、フランジ部１１の下端位置と同一面上に配置されるように固着され、装着位置のスパウト本体１０とフィルムＦとの間に介在して、スパウト本体１０をフィルムＦに固定する。接着シール２０は、筒状部１７を内嵌可能な円環状をなし、フランジ部１１よりも若干小さい大きさに形成されている。
【００２５】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。また、フランジ部１１は、カップ鍔部Ｃ１に沿った形状ではなく、カップ鍔部Ｃ１とは異なる曲率を有し、ガイド部１５と筒状部１７との間はカップ鍔部Ｃ１の幅以上であればよいため、異なる構成のカップＣにそれぞれ装着可能である。
【００２６】
次に本実施形態のスパウトの作用について図７〜図１０に従って説明する。まず図７に示すように、スパウト本体１０を、フランジ部１１がフィルムＦに対して平行となる姿勢を基準として約９０度近く外側へ傾け、カップ鍔部Ｃ１にガイド部１５を引っ掛ける。このとき、穿孔刃１６の直角部１６ｄ及び鈍角部１６ｅは鋭角ではないので、穿孔刃１６に手が触れても安全である。また、スパウトＳが傾いた姿勢では、穿孔刃１６は、直角部１６ｄの先端がフィルムＦに当接した状態となる。そして、カップ鍔部Ｃ１に当接したガイド部１５を支点として、スパウトＳをフィルムＦに向かって回転させつつ、カップＣに押し込むように押圧力を印加する。
【００２７】
このとき、カップ鍔部Ｃ１及びガイド部１５はそれぞれ湾曲しているため、ガイド部１５の正面全域をカップ鍔部Ｃ１に密着させることは容易ではないが、リブ１５ａとカップ鍔部Ｃ１とは確実に当接するため、リブ１５ａに対し、スパウトＳに印加される押圧力を集中させることができる。従って、このリブ１５ａが、スパウトの回転動作の支点となり、スパウトの姿勢を安定させることができる。
【００２８】
その結果、穿孔刃１６の直角部１６ｄの先端に、スパウトＳに加えられた押圧力が集中して加わり、穿孔刃１６がフィルムＦに対して突き刺されて穿孔が開始される。そして、図８に示すように、背面側端部１６ａと底面側端部１６ｂとがフィルムＦに徐々に差し込まれることにより、フィルムＦには、カップＣの径方向と平行な直線状の孔が形成され、カップＣの径方向内側と径方向外側とに拡大されていく。この際、ガイド部１５をカップＣに当接させながら回転させることによって、穿孔部１４による穿孔位置が一定となるため、飲料を啜りやすい最適な位置に孔を形成することができる。
【００２９】
そして、筒状部１７がフィルムＦに当接すると、筒状部１７は、穿孔刃１６によって形成された直線状の孔を、その外側に向かって押し広げる。そして筒状部１７が、フィルムＦの孔に挿入されると、フィルムＦに円形状の孔が形成され、孔の開口面積が拡大される。
【００３０】
こうして、図９に示すように、スパウト本体１０を、フランジ部１１がフィルムＦと平行になるまで回転させると、ガイド部１５がカップ鍔部Ｃ１の外側に当接して、スパウトＳのカップ径方向内側への移動を規制する。また、接着シール２０がフィルムＦの表面に貼着され、スパウト本体１０をフィルムＦに対して固定する。このとき、接着シール２０は、フランジ部１１の下端位置と同一面上に配置されるので、接着シール２０は外部に露出されず、フランジ部１１の下端はフィルムＦに当接する。このように装着位置に配置されたスパウトＳは、ガイド部１５とカップ鍔部Ｃ１との当接と、接着シール２０とフィルムＦとの接着とにより、カップＣに対して固定され、安定した姿勢を保持することができる。また、フィルムＦが撓んでも、接着シール２０がフィルムＦに固着されているので、スパウトＳとフィルムＦとの間から飲料が漏れ出すことを防ぐことができる。
【００３１】
スパウトＳが装着されたカップ内の飲料を飲む際には、図１０に示すように、注出部１３の接触部１３ａ側にカップＣを傾ける。すると、カップ内の飲料Ｌが、導出孔１２を介して、注出部１３に導出される。この際、装着姿勢とされたスパウトＳに対し押圧力が加えられても、ガイド部１５及び接着シール２０により、スパウトＳの移動が規制される。このため、スパウトＳが傾いたり、ずれたりしにくいので、飲料Ｌを飲みやすくすることができる。
【００３２】
従って、上記実施形態によれば、以下の効果を得ることができる。
（１）上記実施形態では、スパウトＳは、穿孔部１４によってフィルムＦに孔を開けるとともに、フランジ部１１に固定された接着シール２０によりカップＣに固定されるため、カップＣを傾けることにより、フィルムＦに開けられた孔を介して導出された飲料を、注出部１３から飲むことができる。また、スパウトＳは、接着シール２０によりフィルムＦに固定されるため、スパウトＳに対し押圧するような力が加えられても、スパウトＳが傾いたり、ずれたりせず、安定した姿勢を保持することができるので、内容物である飲料を飲みやすくすることができる。また接着シール２０によりスパウトＳとフィルムＦとのシール性を確保できるので、フィルムＦの孔から飲料が漏出することを防ぐことができる。
【００３３】
（２）上記実施形態では、スパウトＳを、カップ鍔部Ｃ１に当接したガイド部１５によって支持しながら回転させることができるので、スパウトＳを安定した姿勢に保持しながらカップＣに装着することができる。また、ガイド部１５をカップＣに当接させながら回転させることによって、穿孔部１４に、フィルムＦに孔を形成するための押圧力を印加しやすくなる。また、ガイド部１５をカップＣに当接させることで、穿孔開始位置とカップ鍔部Ｃ１との距離が一定となるため、飲料を啜りやすい最適な位置に孔を形成することができる。
【００３４】
（３）上記実施形態では、ガイド部１５のうち、カップ鍔部Ｃ１と対向する正面にリブ１５ａを形成したため、スパウトＳが回転する際に、このリブ１５ａとカップ鍔部Ｃ１を当接させることができる。このため、リブ１５ａに対し、スパウトＳに印加される押圧力を集中させることができる。従って、このリブ１５ａが、スパウトの回転動作の支点となり、スパウトの姿勢を安定させることができる。
【００３５】
（４）上記実施形態では、穿孔部１４は、カップＣに対して傾いた穿孔開始位置で、穿孔刃１６の直角部１６ｄをフィルムＦに対して突き刺して穿孔を開始し、フィルムＦに形成された孔を筒状部１７によって押し広げるため、開口面積が大きい孔をフィルムＦに形成することができる。
【００３６】
（５）上記実施形態では、フランジ部１１は、フィルムＦの一部を覆うので、スパウトＳを小型化し、コストを低下させることができる。
尚、上記実施形態は以下のように変更してもよい。
【００３７】
・上記実施形態では、ガイド部１５の正面に接着シールを固定し、ガイド部１５とカップ鍔部Ｃ１とを接着するようにしてもよい。
・穿孔部１４は、筒状部１７が、フィルムＦを穿孔可能な形状を有していれば、板状の穿孔刃１６を省略した構成でもよい。また、フィルムＦに形成された孔を拡開する拡開部は、筒状部１７でなくても、正面側に延びるリブでもよい。
【００３８】
・ガイド部１５によってスパウト本体１０を支持しなくても、穿孔部１４を垂直に突き刺すことによってフィルムＦを穿孔可能である場合には、ガイド部１５を省略してもよい。
【００３９】
・ガイド部１５に形成される突部は、直線状に延びるリブ１５ａ以外に、ドーム状の突部等、他の形状でもよく、突部の数は、複数でもよい。
・上記実施形態では、接着シール２０は、スパウト本体１０と別部材としたが、スパウト本体１０と接着シール２０とを、２色成形等を用いて、一体に成形してもよい。
【００４０】
・上記実施形態では、スパウトＳは、スパウト本体１０に接着シール２０を設ける構成とした。これ以外に、本発明のスパウトを、上記したスパウト本体１０のみから構成し、接着シール２０はフィルムＦの所定位置に固着してもよい。即ち、フィルムＦのうち、スパウト本体１０が装着される位置に接着シール２０を固定し、スパウト本体１０を使用する際に、その接着シール２０とスパウト本体１０とが接着するように、スパウト本体１０を装着してもよい。
【００４１】
・上記実施形態では、カップＣは、外側に張り出すカップ鍔部Ｃ１を備える構成としたが、カップ鍔部Ｃ１を備えない構成でもよい。
・上記実施形態では、カップＣには温かい飲料に限らず、冷たい飲料が封入されていてもよい。また、飲料でなくても、飲用可能な医薬品等の液体でもよい。
【符号の説明】
【００４２】
１１…フランジ部、１３…注出部、１４…穿孔部、１５…ガイド部、１５ａ…突部としてのリブ、１６…穿孔刃、１７…拡開部としての筒状部、２０…接着部としての接着シール、Ｃ…カップ、Ｃ１…カップの縁部としてのカップ鍔部、Ｆ…フィルム、Ｌ…液体としての飲料、Ｓ…スパウト。
【図１】
2013060215.tif 000003
【図２】
2013060215.tif 000004
【図３】
2013060215.tif 000005
【図４】
2013060215.tif 000006
【図５】
2013060215.tif 000007
【図６】
2013060215.tif 000008
【図７】
2013060215.tif 000009
【図８】
2013060215.tif 000010
【図９】
2013060215.tif 000011
【図１０】
2013060215.tif 000012